(57)【特許請求の範囲】
【請求項１】
蛇口又は浄水器等の放水パイプの先端部に嵌合するキャップ本体と、該キャップ本体の放出口内に着脱自在に取着するカートリッジとからなり、これらキャップ本体とカートリッジを抗菌作用を有する材料をもって製作してなる蛇口等用抗菌キャップにおいて、前記キャップ本体は、放出口に雌ネジを刻設し、パイプ接続口にパッキングを取着した筒状体からなり、一方前記カートリッジは、上部に蛇口又は浄水器等の放水パイプの先端部の受容部を有し、外周面に抗菌剤充填室形成用の凹部を設けると共に該凹部から内部に通ずる孔を設けた筒状本体部と、該筒状本体部の底部開口に取着する網体と、前記筒状本体部を内嵌する凹部を設けると共に、下部に前記筒状本体部の底部開口に連通する放出口を設け、更に外周の一部に前記筒状本体部の凹部に連通する孔を設けた、外周に刻設した雄ネジを前記キャップ本体における筒状体の雌ネジに螺合することによってキャップ本体に取着する固定部とからなり、前記カートリッジの抗菌剤充填室にサイクロデキストリンを含んだ抗菌剤を充填してなることを特徴とする蛇口等用抗菌キャップ。
【請求項２】
筒状本体部の底部開口に十字状の仕切板を設け、該仕切板を、キャップ本体のパイプ接続口に差し込む蛇口又は浄水器等の放水パイプの先端部のやや上の位置、即ち蛇口又は放水パイプの先端部に収容した整流板に近接する高さまで立ち上がらせてなる請求項１記載の蛇口等用抗菌キャップ。
【請求項３】
網体が、ステンレス網に酸化チタンをコーティングした網体である請求項１又は２記載の蛇口等用抗菌キャップ。
【請求項４】
網体が、ステンレス網に酸化チタン及び銀をコーティングした網体である請求項１又は２記載の蛇口等用抗菌キャップ。
【請求項５】
カートリッジの固定部を透明又は半透明の材料をもって製作してなる請求項３又は４記載の蛇口等用抗菌キャップ。
【請求項６】
抗菌剤に微芳香剤を添加してなる請求項１、２、３、４又は５記載の蛇口等用抗菌キャップ。
【発明の詳細な説明】
【０００１】
【発明の属する技術分野】
本発明は蛇口等用抗菌キャップに関し、更に詳細には蛇口又は家庭用浄水器等の放水パイプの先端部に取着し、これらの周囲や内部を細菌による汚染から防ぐためのものである。
【０００２】
【従来の技術】
家庭用浄水器は、水道の蛇口から浄水器内に水を引き込み、内部において浄化してから放出するが、濾過する工程において塩素も除去される。
【０００３】
このため、長時間通水しない状態にあっては、浄水器から出て放水パイプ内に付着している水滴は、細菌により汚染され易い状況となっている。
【０００４】
また、放水パイプの先端部は、流し台のシンクから跳ね返った水が付着したり、或いは汚れた手で触れられたりするために細菌に汚染され易い。
【０００５】
これらのことから、水道の蛇口や家庭用浄水器等の放水パイプの先端部分の周囲や内部の汚染を防ぐための何等かの手段の案出が望まれていた。
【０００６】
【発明が解決しようとする課題】
本発明は上記の点に鑑みなされたものであって、水道用蛇口又は家庭用浄水器等の放水パイプの先端部にセットすることにより、これの周囲や内部を効果的に細菌による汚染から防ぐことができるようになした抗菌キャップを提供しようとするものである。
【０００７】
而して、本発明の要旨とするところは、蛇口又は浄水器等の放水パイプの先端部に嵌合するキャップ本体と、該キャップ本体の放出口内に着脱自在に取着するカートリッジとからなり、これらキャップ本体とカートリッジを抗菌作用を有する材料をもって製作してなる蛇口等用抗菌キャップにおいて、前記キャップ本体は、放出口に雌ネジを刻設し、パイプ接続口にパッキングを取着した筒状体からなり、一方前記カートリッジは、上部に蛇口又は浄水器等の放水パイプの先端部の受容部を有し、外周面に抗菌剤充填室形成用の凹部を設けると共に該凹部から内部に通ずる孔を設けた筒状本体部と、該筒状本体部の底部開口に取着する網体と、前記筒状本体部を内嵌する凹部を設けると共に、下部に前記筒状本体部の底部開口に連通する放出口を設け、更に外周の一部に前記筒状本体部の凹部に連通する孔を設けた、外周に刻設した雄ネジを前記キャップ本体における筒状体の雌ネジに螺合することによってキャップ本体に取着する固定部とからなり、前記カートリッジの抗菌剤充填室にサイクロデキストリンを含んだ抗菌剤を充填してなることを特徴とする蛇口等用抗菌キャップにある。
【０００８】
斯くの如くサイクロデキストリンを含んだワサビ、ヒノキチオール、カテキン等の抗菌剤をカートリッジの抗菌剤充填室に収容すると、特にこれらの抗菌剤は蛇口又は浄水器等を長時間通水しないときに蒸散して内部において細菌が増殖するのを抑制し、キャップ本体とカートリッジの材質による効果に加えて一層抗菌効果を高めることができる。
【０００９】
また、サイクロデキストリンは水に溶けにくい固いゲル状の状態で、これをカートリッジの筒状本体部の外周面と固定部の凹部の内壁面とで形成される抗菌剤充填室に収容して水と極力接触しないようになすと共に凹部から内壁に通ずる孔を介して少し宛内部に蒸散するようにすることにより、サイクロデキストリンの減少を抑え、抗菌作用の持続効果を高めることができる。
【００１０】
また、抗菌剤充填室への抗菌剤の充填は、カートリッジを外した状態において、固定部に設けた筒状本体部の凹部に連通する孔からシリンジ等をもって容易に注入して充填することができる。
【００１１】
また、上記構成において、筒状本体部の底部開口に十字状の仕切板を設け、該仕切板を、キャップ本体のパイプ接続口に差し込む蛇口又は浄水器等の放水パイプの先端部のやや上の位置、即ち蛇口又は放水パイプの先端部に収容した整流板に近接する高さまで立ち上がらせるようにしてもよく、これにより蛇口又は放水パイプの内部に残る水の表面張力を利用して、整流板と仕切板を水を介して接触させることにより、抗菌剤及び銀と細菌とを接触させることができ、一段と抗菌性を高めることができる。
【００１２】
また、上記構成において、網体としてステンレス網に酸化チタンをコーティングした網体を用いてもよく、これにより酸化チタンから発生する活性酸素の働きにより一層抗菌効果を高めることができる。
【００１３】
また、酸化チタンは光が当たると活性酸素を発生するが、網体はカートリッジの内部にあるため光の量が少ない。このため酸化チタンと併せて銀をコーティングし、この銀の抗菌作用で照度の不足分を補うようにしてもよい。尚、コーティングは、コーティング材料の中に酸化チタン及びつなぎ材としてのシリカを配合し、焼結温度３００℃で焼き付けることによって行う。またこの他、メッキコーティング、蒸着、塗布等の手段を採用することもできる。
【００１４】
また、前記の酸化チタンの働きを極力高めるためにカートリッジの固定部を透明又は半透明の材料をもって製作してもよい。このようにして光透過性を高めることにより酸化チタンの活性酸素の発生量が増大し、一層抗菌効果が高まる。
【００１５】
また、上記構成において、抗菌剤に微芳香剤を添加してもよく、このようにすると通水停止時に芳香がシンク内に漂い、マスキング効果とアロマテラピー効果を発揮させることができる。特に光の少ない夜間活性酸素の発生が少ないときに、芳香がシンク周辺に多く漂っており、このアロマテラピー効果が良く発揮され、朝台所に立ったとき、心地よく炊事を始められる効果がある。
【００１６】
【発明の実施の形態】
以下、本発明の実施形態について図面を参照しつつ説明する。
図１は本発明の第１実施形態の中央縦断面図、図２は蛇口又は浄水器等の放水パイプの先端部を引き抜いた状態の中央縦断面図、図３はキャップ本体の筒状体の一部切欠して示した正面図、図４は図３中Ｉ−Ｉ線断面図、図５はキャップ本体の筒状体の底面図、図６はパッキングの中央縦断面図、図７はパッキングの底面図、図８は浄水器等の放水パイプの先端部の一部切欠して示した正面図、図９はカートリッジの筒状本体部の正面図、図１０は同平面図、図１１は同底面図、図１２は同一部切欠して示した側面図、図１３は図１２中Ａ部分の拡大図、図１４はカートリッジの固定部の正面図、図１５は同底面図、図１６は同中央縦断面図である。
【００１７】
図中、１は抗菌作用を有する材料をもって製作するキャップ本体である。尚、本実施形態では抗菌剤を練り込んだプラスチックをもって製作している。また、必要に応じてこれに銀を練り混んでもよい。また該キャップ本体１は、放出口に雌ネジ２を刻設し、パイプ接続口にパッキング４を取着した筒状体３からなるものである。また、５は浄水器等の放水パイプである。
【００１８】
６は前記キャップ本体１と同様の材料をもって製作するカートリッジである。また、該カートリッジ６は、上部に蛇口又は浄水器等の放水パイプ５の先端部の受容部７ａを有し、外周面に抗菌剤充填室形成用の凹部７ｂを設けると共に該凹部７ｂから内部に通ずる孔７ｃを設けた筒状本体部７と、該筒状本体部７の底部開口に取着する網体８と前記筒状本体部７を内嵌する凹部９ａを設けると共に、下部に前記筒状本体部７の底部開口に連通する放出口９ｂを設け、更に外周の一部に前記筒状本体部７の凹部７ｂに連通する孔９ｃを設けた固定部９とからなる。そして該固定部９は外周に刻設した雄ネジ１０を前記キャップ本体１における筒状体３の雌ネジ２に螺合することによってキャップ本体１に取着するものである。
【００１９】
また、前記筒状本体部７の底部開口には十字状の仕切板７ｄが設けてあり、また外周の一部には固定部９の孔９ｃに係合させる小突起７ｅを設けている。
【００２０】
１１はカートリッジ６の固定部９とキャップ本体１の筒状体３との間に介在させたパッキングである。１２は前記カートリッジ６における筒状本体部７の凹部７ｂと固定部９の凹部９ａの内壁面とで形成される抗菌剤充填室に充填する抗菌剤である。また、該抗菌剤１２は、サイクロデキストリンを含んだワサビ、ヒノキチオール、カテキン等の抗菌剤である。また、抗菌剤にはこの他微芳香剤（図示せず。）を添加するようにしてもよい。
【００２１】
また、前記網体８はステンレス網に酸化チタン及び銀をコーティングした網体である。
【００２２】
また、前記カートリッジ６の固定部９は光透過性の良い透明又は半透明のアクリル系樹脂で製作している。
【００２３】
そして、水道の蛇口や浄水器等の放水パイプの先端にセットするには、蛇口又は放水パイプ５の先端部をキャップ本体１のパイプ接続口に差し込むものである。
【００２４】
次に、図１７乃至図２１に示した本発明の第２実施形態について説明する。
而して、本実施形態と前記第１実施形態との相違点は、本実施形態においてカートリッジにおける筒状本体部の底部開口に設けている十字状の仕切板を、キャップ本体のパイプ接続口に差し込む蛇口又は浄水器等の放水パイプの先端部のやや上の位置、即ち蛇口又は放水パイプの先端部に収容した整流板に近接する高さまで立ち上がらせている点である。また、その他の構成は前記第１実施形態と同様であるので、同一の部材には同一の符号を付して詳細な説明は省略する。尚、図中１３は整流板を示す。本実施形態によれば、蛇口又は放水パイプの内部に残る水の表面張力を利用して、整流板と仕切板を水を介して接触させることにより、抗菌剤及び銀と細菌とを接触させることができ、一段と抗菌性を高めることができる。
【００２５】
【発明の効果】
本発明は上記の如き構成であり、請求項１の場合には、キャップ本体とカートリッジを抗菌作用を有する材料をもって製作してなるものであるから、家庭用浄水器等の放水パイプの先端にセットすると、これらの周囲や内部を効果的に細菌による汚染から防ぐことができるものである。且つまた、サイクロデキストリンを含んだ抗菌剤の作用により、通水しないときに蒸散して内部において細菌が増殖するのを抑制することができ、一層抗菌効果を高めることができる。
【００２６】
また、サイクロデキストリンを含んだ抗菌剤は水と極力接触しないようになされており、且つまたカートリッジの内部には少し宛蒸散するようになされているから、サイクロデキストリンの減少を抑え、抗菌作用の持続効果を高めることができる。
【００２７】
また、サイクロデキストリンを含んだ抗菌剤は、シリンジ等をもって容易にカートリッジの抗菌剤充填室に充填することができる。
【００２８】
また、請求項２の場合には、上記効果に加えて、蛇口又は放水パイプの内部に残る水の表面張力を利用して、整流板と仕切板を水を介して接触させることにより、抗菌剤及び銀と細菌とを接触させることができ、一段と抗菌性を高めることができる。
【００２９】
また、請求項３の場合には、酸化チタンに光が当たることによって発生する活性酸素の働きによってより一層抗菌効果を高めることができる。
【００３０】
また、請求項４の場合には、光量が少なく、酸化チタンによる活性酸素の発生量が少ない場合に、その分を銀の抗菌作用で補うことができる。
【００３１】
また、請求項５の場合には、酸化チタンへの光の当たる量を多くすることができ、もって活性酸素の発生量を増大させることができる。
【００３２】
また、請求項６の場合には、上記効果に加えて、通水停止時に芳香がシンク周辺に漂い、マスキング効果とアロマテラピー効果を発揮させることができる。特に光の少ない夜間活性酸素の発生が少ないときに、芳香がシンク周辺に多く漂っており、このアロマテラピー効果が良く発揮され、朝台所に立ったとき、心地よく炊事を始められる効果がある。
【図面の簡単な説明】
【図１】  本発明の第１実施形態の中央縦断面図である。
【図２】  蛇口又は浄水器等の放水パイプの先端部を引き抜いた状態の中央縦断面図である。
【図３】  キャップ本体の筒状体の一部切欠して示した正面図である。
【図４】  図３中Ｉ−Ｉ線断面図である。
【図５】  キャップ本体の筒状体の底面図である。
【図６】  パンキングの中央縦断面図である。
【図７】  パンキングの底面図である。
【図８】  浄水器等の放水パイプの先端部を一部切欠して示した正面図である。
【図９】  カートリッジの筒状本体部の正面図である。
【図１０】  カートリッジの筒状本体部の平面図である。
【図１１】  カートリッジの筒状本体部の底面図である。
【図１２】  カートリッジの筒状本体部の一部切欠して示した側面図である。
【図１３】  図１２中Ａ部分の拡大図である。
【図１４】  カートリッジの固定部の正面図である。
【図１５】  カートリッジの固定部の底面図である。
【図１６】  カートリッジの固定部の中央縦断面図である。
【図１７】  本発明の第２実施形態の中央縦断面図である。
【図１８】  カートリッジの筒状本体部の正面図である。
【図１９】  カートリッジの筒状本体部の平面図である。
【図２０】  カートリッジの筒状本体部の底面図である。
【図２１】  カートリッジの筒状本体部の一部切欠して示した側面図である。
【符号の説明】
１  キャップ本体
３  筒状体
５  浄水器等の放水パイプ
６  カートリッジ
７  筒状本体部
８  網体
９  固定部
１２  抗菌剤
【図１】
0004514863.tif 000002
【図２】
0004514863.tif 000003
【図３】
0004514863.tif 000004
【図４】
0004514863.tif 000005
【図５】
0004514863.tif 000006
【図６】
0004514863.tif 000007
【図７】
0004514863.tif 000008
【図８】
0004514863.tif 000009
【図９】
0004514863.tif 000010
【図１０】
0004514863.tif 000011
【図１１】
0004514863.tif 000012
【図１２】
0004514863.tif 000013
【図１３】
0004514863.tif 000014
【図１４】
0004514863.tif 000015
【図１５】
0004514863.tif 000016
【図１６】
0004514863.tif 000017
【図１７】
0004514863.tif 000018
【図１８】
0004514863.tif 000019
【図１９】
0004514863.tif 000020
【図２０】
0004514863.tif 000021
【図２１】
0004514863.tif 000022